【手続補正書】
【提出日】平成22年1月7日(2010.1.7)
【手続補正１】
【補正対象書類名】明細書
【補正対象項目名】０００４
【補正方法】変更
【補正の内容】
【０００４】
そのため、埋め込み後の安定性および小さな切開部からの挿入に適した小型外形という双方の利点をもたらす血管アクセスポートであって、血管アクセスポートのサイズを最小化し、このような血管アクセスポートの患者への提供に伴う他の悪影響を最小限に抑えるものが必要とされている。
この出願の発明に関連する先行技術文献情報としては、以下のものがある（国際出願日以降国際段階で引用された文献及び他国に国内移行した際に引用された文献を含む）。
【特許文献１】米国特許第８３７，０８５号明細書
【特許文献２】米国特許第１，４３４，９６４号明細書
【特許文献３】米国特許第１，７３３，１８９号明細書
【特許文献４】米国特許第４，６０４，０９０号明細書
【特許文献５】米国特許第４，６２６，２４４号明細書
【特許文献６】米国特許第５，２１７，４５０号明細書
【特許文献７】米国特許第５，２７９，５６５号明細書
【特許文献８】米国特許第５，５４７，４５８号明細書
【特許文献９】米国特許第５，６８８，２４７号明細書
【特許文献１０】米国特許第６，０３０，４０６号明細書
【特許文献１１】米国特許第６，４０９，６７４号明細書
【特許文献１２】米国特許第６，８９３，４１８号明細書
【特許文献１３】米国特許第６，９２９，６２１号明細書
【特許文献１４】米国特許出願公開第２００４／０２５４５３７号明細書
【特許文献１５】米国特許出願公開第２００６／０２１７６７３号明細書
【特許文献１６】米国特許第５，０９０，９５４号明細書
【特許文献１７】米国特許第５，７１６，３２６号明細書
【特許文献１８】米国特許第５，０９２，８４９号明細書
【特許文献１９】米国特許第５，６３２，７２９号明細書
【特許文献２０】米国特許第５，９０６，５９６号明細書
【特許文献２１】米国特許第６，４８５，４７３号明細書
【特許文献２２】米国特許出願公開第２００２／０１７７８１４号明細書
【特許文献２３】米国特許第３，３９７，６９９号明細書
【特許文献２４】米国特許第３，６９２，０２９号明細書
【特許文献２５】米国特許第３，７１３，４４７号明細書
【特許文献２６】米国特許第３，９３８，５３０号明細書
【特許文献２７】米国特許第４，０４３，３３８号明細書
【特許文献２８】米国特許第４，０７７，４１２号明細書
【特許文献２９】米国特許第４，６０８，９６５号明細書
【特許文献３０】米国特許第４，６２７，８３８号明細書
【特許文献３１】米国特許第４，９９５，８６８号明細書
【特許文献３２】米国特許第５，１１２，３１０号明細書
【特許文献３３】米国特許第５，１１３，８４６号明細書
【特許文献３４】米国特許第５，２１５，１０３号明細書
【特許文献３５】米国特許第５，２１７，４５１号明細書
【特許文献３６】米国特許第５，２７５，６１０号明細書
【特許文献３７】米国特許第５，３０６，２２６号明細書
【特許文献３８】米国特許第５，３３８，２９７号明細書
【特許文献３９】米国特許第５，３３４，４３９号明細書
【特許文献４０】米国特許第５，３５６，３８２号明細書
【特許文献４１】米国特許第５，３６５，９２６号明細書
【特許文献４２】米国特許第５，４２１，８３２号明細書
【特許文献４３】米国特許第５，４４３，４４９号明細書
【特許文献４４】米国特許第５，４５４，３６５号明細書
【特許文献４５】米国特許第５，５２７，３３６号明細書
【特許文献４６】米国特許第５，６２４，３９９号明細書
【特許文献４７】米国特許第５，６２４，３９５号明細書
【特許文献４８】米国特許第５，８４８，９８９号明細書
【特許文献４９】米国特許第５，９５７，９００号明細書
【特許文献５０】米国特許第５，９７１，９５４号明細書
【特許文献５１】米国特許第５，９９０，３８２号明細書
【特許文献５２】米国特許第６，０８０，１４２号明細書
【特許文献５３】米国特許第６，０９９，５０６号明細書
【特許文献５４】米国特許第６，３５５，０２０号明細書
【特許文献５５】米国特許第５，５６９，１５０号明細書
【特許文献５６】米国特許第６，５７２，５８７号明細書
【特許文献５７】米国特許第６，６０１，７９５号明細書
【特許文献５８】米国特許第６，６２３，４４８号明細書
【特許文献５９】米国特許第６，６２９，９５３号明細書
【特許文献６０】米国特許第６，６２９，９５６号明細書
【特許文献６１】米国特許第６，６９９，２１６号明細書
【特許文献６２】米国特許第６，７５８，８３１号明細書
【特許文献６３】米国特許第６，７８０，１７５号明細書
【特許文献６４】米国特許出願公開第２００４／０２５４５３７号明細書
【特許文献６５】米国特許出願公開第２００５／００４３７３５号明細書
【特許文献６６】米国特許出願公開第２００５／００７５６４４号明細書
【特許文献６７】米国特許出願公開第２００５／０１１３９２９号明細書
【特許文献６８】米国特許出願公開第２００５／０１３１３８３号明細書
【特許文献６９】米国特許第６，９９７，９０９号明細書
【特許文献７０】米国特許第６，９９７，８８５号明細書
【特許文献７１】米国特許第７，０３７，３２１号明細書
【特許文献７２】米国特許出願公開第２００１／００４９４９２号明細書
【特許文献７３】米国特許出願公開第２００２／０１６５５５３号明細書
【特許文献７４】米国特許出願公開第２００２／０１７７８０６号明細書
【特許文献７５】米国特許出願公開第２００３／００１４００９号明細書
【特許文献７６】米国特許出願公開第２００４／０２４９３４２号明細書
【特許文献７７】米国特許出願公開第２００５／０１１９６１７号明細書
【特許文献７８】米国特許出願公開第２００５／０１７７１０５号明細書
【特許文献７９】米国特許出願公開第２００５／０２５１１６８号明細書
【特許文献８０】米国特許出願公開第２００７／００８８２５８号明細書
【特許文献８１】米国特許出願公開第２００７／００８８２５９号明細書
【特許文献８２】米国特許出願公開第２００７／０２７６４９３号明細書
【特許文献８３】国際公開第９５／１２４２７号パンフレット
【非特許文献１】ＪＡＭＥＳ  Ｃ．  ＡＮＤＲＥＷＳ，  ＭＤ  ｅｔ  ａｌ．；  Ｌｏｎｇ−Ｔｅｒｍ  Ｃｅｎｔｒａｌ  Ｖｅｎｏｕｓ  Ａｃｃｅｓｓ  ｗｉｔｈ  ａ  Ｐｅｒｉｐｈｅｒａｌｌｙ  Ｐｌａｃｅｄ  Ｓｕｂｃｕｔａｎｅｏｕｓ  Ｉｎｆｕｓｉｏｎ  Ｐｏｒｔ：  Ｉｎｉｔｉａｌ  Ｒｅｓｕｌｔｓ；  Ｒａｄｉｏｌｏｇｙ；  Ｊｕｌｙ  １９９０；  Ｐａｇｅｓ  ４５−４７
【非特許文献２】ＥＲＮＳＴ−ＰＥＴＥＲ  Ｋ．  ＳＴＲＥＣＫＥＲ，  ＭＤ  ｅｔ  ａｌ．；  Ｐｅｒｃｕｔａｎｅｏｕｓｌｙ  Ｉｍｐｌａｎｔａｂｌｅ  Ｃａｔｈｅｔｅｒ−Ｐｏｒｔ  Ｓｙｓｔｅｍ：  Ｐｒｅｌｉｍｉｎａｒｙ  Ｔｅｃｈｎｉｃａｌ  Ｒｅｓｕｌｔｓ；  Ｒａｄｉｏｌｏｇｙ；  Ｆｅｂｒｕａｒｙ  １９９７；  Ｐａｇｅｓ  ５７４−５７７；  Ｖｏｌｕｍｅ  ２０２，  Ｎｏ．  ２
【非特許文献３】ＨＹＯＵＮＧ  ＩＩ  ＮＡ，  ＭＤ  ｅｔ  ａｌ．；  Ｆｉｘａｔｉｏｎ  Ｍｅｔｈｏｄｓ  ｆｏｒ  Ｉｍｐｌａｎｔａｂｌｅ  Ｐｏｒｔ  Ｃｈａｍｂｅｒ：  Ｃｏｍｐａｒａｔｉｖｅ  Ｓｔｕｄｙ  Ｕｓｉｎｇ  Ｇｌｕｅ，  Ｓｅｌｆ−ｓｔａｂｉｌｉｚｉｎｇ  Ｌｅｇ  ａｎｄ  Ｓｕｔｕｒｅ  Ｆｉｘａｔｉｏｎｓ  ｉｎ  Ｒａｂｂｉｔｓ；  Ｋｏｒｅａｎ  Ｊ  Ｒａｄｉｏｌ  ５（４）；  Ｄｅｃｅｍｂｅｒ  ２００４；  Ｐａｇｅｓ  ２６６−２７３